【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
時間差アナログ比較器であって、
アナログ入力に応答する周波数を有する可変周波数信号の源と、
前記可変周波数信号のサイクルをカウントするよう結合される計数回路とを含み、前記計数回路は第１の時間間隔の間には第１の方向にカウントするよう結合されるとともに、前記第１の時間間隔の終わりの後に起こる第２の時間間隔の間は、前記第１の方向とは反対の第２の方向にカウントするよう結合され、前記時間差アナログ比較器はさらに、
前記計数回路に結合されるタイミング回路を含み、前記第１の時間間隔と前記第２の時間間隔とは前記タイミング回路によって決定され、前記時間差アナログ比較器はさらに、
前記計数回路と前記タイミング回路とに結合される評価回路を含み、前記評価回路は、前記第２の時間間隔の終わりの後に、前記可変周波数信号の前記サイクルのカウントに応答する、時間差アナログ比較器。
【請求項２】
前記アナログ入力は電気信号である、請求項１に記載の時間差アナログ比較器。
【請求項３】
前記アナログ入力は回路の構成要素の内因性パラメータである、請求項１に記載の時間差アナログ比較器。
【請求項４】
前記回路の前記構成要素は集積回路に含まれる、請求項３に記載の時間差アナログ比較器。
【請求項５】
前記内因性パラメータは温度に応答する、請求項３に記載の時間差アナログ比較器。
【請求項６】
前記タイミング回路は、前記第１の時間間隔および前記第２の時間間隔を含むタイミングイベントのシーケンスを始める入力に応答する、請求項１に記載の時間差アナログ比較器。
【請求項７】
タイミングイベントの前記シーケンスは、前記第１の時間間隔と前記第２の時間間隔との間に休止間隔を含む、請求項６に記載の時間差アナログ比較器。
【請求項８】
前記タイミング回路は、前記第１の時間間隔と前記第２の時間間隔との間に外部パラメータを変化させる信号を生成するよう結合される、請求項１に記載の時間差アナログ比較器。
【請求項９】
アナログ信号の時間差比較を行なう方法であって、
前記アナログ信号に応答して変動する周波数を有する反復信号を生成することと、
前記反復信号のサイクルに応答して、第１の時間間隔の間に第１の方向にカウントすることと、
前記反復信号の前記サイクルに応答して、第２の時間間隔の間に第２の方向にカウントすることと、
前記第２の時間間隔の終わりの後、前記反復信号の前記サイクルのカウントを評価することとを含む、方法。
【請求項１０】
前記第１の時間間隔の終わりと、前記第２の時間間隔の始まりの前との間に、外部パラメータを変化させることをさらに含む、請求項９に記載の方法。
【請求項１１】
前記第１の時間間隔の始まりの前に、前記反復信号の前記サイクルの前記カウントを初期化することをさらに含む、請求項９に記載の方法。
【請求項１２】
前記第２の時間間隔の前記終わりの後、前記反復信号の前記サイクルの前記カウントの前記評価に応答して、決定信号を出力することをさらに含む、請求項９に記載の方法。
【請求項１３】
時間差アナログ比較器であって、
アナログ入力に応答する周波数を有する可変周波数信号の源と、
前記可変周波数信号のサイクルをカウントするよう結合される計数回路とを含み、前記計数回路は第１の時間間隔の間には第１の方向にカウントするよう結合されるとともに、前記第１の時間間隔の終わりの後に起こる第２の時間間隔の間は、前記第１の方向とは反対の第２の方向にカウントするよう結合され、前記時間差アナログ比較器はさらに、
前記計数回路に結合される評価回路を含み、前記評価回路は、前記第２の時間間隔の終わりの後に、前記可変周波数信号の前記サイクルの前記カウントに応答する、時間差アナログ比較器。
【請求項１４】
前記アナログ入力は電気信号である、請求項１３に記載の時間差アナログ比較器。
【請求項１５】
前記アナログ入力は回路の構成要素の内因性パラメータである、請求項１３に記載の時間差アナログ比較器。
【請求項１６】
前記回路の前記構成要素は集積回路に含まれる、請求項１５に記載の時間差アナログ比較器。
【請求項１７】
前記内因性パラメータは温度に応答する、請求項１５に記載の時間差アナログ比較器。
【請求項１８】
前記計数回路に結合されるタイミング回路をさらに含み、前記第１の時間間隔と前記第２の時間間隔とは前記タイミング回路によって決定される、請求項１３に記載の時間差アナログ比較器。
【請求項１９】
前記タイミング回路は、前記第１の時間間隔および前記第２の時間間隔を含むタイミングイベントのシーケンスを始める入力に応答する、請求項１８に記載の時間差アナログ比較器。
【請求項２０】
タイミングイベントの前記シーケンスは、前記第１の時間間隔と前記第２の時間間隔との間に休止間隔を含む、請求項１９に記載の時間差アナログ比較器。
【請求項２１】
前記タイミング回路は、前記第１の時間間隔と前記第２の時間間隔との間に外部パラメータを変化させる信号を生成するよう結合される、請求項１８に記載の時間差アナログ比較器。
【請求項２２】
前記タイミング回路はさらに、アナログ入力における変化を刺激するために前記第１の時間間隔と前記第２の時間間隔との間の時間にモード選択信号を生成するよう結合される、請求項１に記載の時間差アナログ比較器。
【請求項２３】
前記可変周波数信号の源は複数の期間を有する反復信号を与えるよう結合され、各期間は前記アナログ入力の値を示す対応する周波数を有し、
前記計数回路は前記反復信号の前記期間をカウントするよう結合され、
前記評価回路は前記反復信号の前記期間の前記カウントに応答する、請求項１に記載の時間差アナログ比較器。
【請求項２４】
前記可変周波数信号の周波数は前記アナログ入力における変化に応答し、
前記評価回路は、前記第２の時間間隔の終わりの後、前記可変周波数信号の前記サイクルの前記カウントに応答して、決定信号を出力するよう結合され、
前記決定信号は、前記第２の時間間隔の間に前記アナログ入力における前記変化を作り出した刺激を反転させるよう結合されることとなる、請求項１に記載の時間差アナログ比較器。
【請求項２５】
前記アナログ入力はスイッチモード電源の温度を示す電気信号であり、前記モード選択信号は前記スイッチモード電源の効率を向上するよう前記スイッチモード電源のモードを変更するよう結合される、請求項２２に記載の時間差アナログ比較器。
【請求項２６】
前記休止間隔は、前記第１の時間間隔および前記第２の時間間隔よりも実質的に長い、請求項７に記載の時間差アナログ比較器。
【請求項２７】
前記アナログ入力における変化を刺激するよう、前記第１の時間間隔と前記第２の時間間隔との間の時間にモード選択信号を生成することをさらに含む、請求項９に記載の方法。
【請求項２８】
前記反復信号は複数の期間を有し、各期間は前記アナログ信号の値を示す対応する周波数を有する、請求項９に記載の方法。
【請求項２９】
前記アナログ入力はスイッチモード電源の温度を示す電気信号である、請求項９に記載の方法。
【請求項３０】
スイッチモード電源の効率を向上するよう前記スイッチモード電源のモードを変更するモード選択信号を生成するよう結合されるタイミング回路をさらに含む、請求項１３に記載の時間差アナログ比較器。
【請求項３１】
前記タイミング回路は、前記アナログ入力における変化を刺激するために、前記第１の時間間隔と前記第２の時間間隔との間の時間に前記モード選択信号を生成するようさらに結合される、請求項３０に記載の時間差アナログ比較器。